(57)【要約】モバイルデバイス上の位置ベースアプリケーションをテストするためのテスト装置（１）および方法を提供する。テスト装置は、少なくとも１つのテスト用モバイルデバイス（１４）を支持するための支持部（１２）を有する第１のプラットフォーム（１０）と、第１プラットフォーム（１０）から離間した支持要素（２０）と、を備える。支持要素（２０）は、記録デバイス（２４）を支持し、記録デバイス（２４）上のカメラレンズが第１のプラットフォーム（１０）の支持部（１２）を見ることを可能にするように構成される。【選択図】図１
2020516106.tif 000002
【特許請求の範囲】
【請求項１】
モバイルデバイス上の位置ベースアプリケーションをテストするためのテスト装置であって、
該テスト装置は、
少なくとも１つのテスト用モバイルデバイスを支持するための支持部を有する第１のプラットフォームと、
前記第１のプラットフォームから離間し、前記第１のプラットフォームに対して固定位置に保持された支持要素と、を備え、
前記支持要素は、
記録デバイスを支持し、前記記録デバイス上のカメラレンズが前記第１のプラットフォームの前記支持部を見ることを可能とするように構成される、
テスト装置。
【請求項２】
前記支持要素は、
前記記録デバイスを把持し、前記記録デバイスを前記第１のプラットフォームに対して固定位置に保持するように構成されたクランプである、
請求項１に記載のテスト装置。
【請求項３】
前記支持要素は、
前記記録デバイスを支持し、前記記録デバイスを前記第１のプラットフォームに対して固定位置に保持するように構成された第２のプラットフォームである、
請求項１に記載のテスト装置。
【請求項４】
前記第２のプラットフォームは、
前記記録デバイス上の前記カメラレンズが、前記第１のプラットフォームの前記支持部を見ることを可能とするための観察ポートを備える、
請求項３に記載のテスト装置。
【請求項５】
前記第２のプラットフォームの少なくとも一部は、実質的に透明である、
請求項３又は４に記載のテスト装置。
【請求項６】
前記第１のプラットフォームと前記支持要素との間に配置され、前記第１のプラットフォームからオフセットした角度で配向された少なくとも１つのミラーを含むミラーアセンブリをさらに備える、
請求項１から５のいずれか一項に記載のテスト装置。
【請求項７】
前記ミラーアセンブリは、
前記第１のプラットフォームと前記支持要素との間に配置され、前記第１のプラットフォームからオフセットした角度で配向された第１の平面ミラーと、
前記第１の平面ミラーと位置合わせされた第２の凹面ミラーと、
前記第２の凹面ミラーと位置合わせされた第３の凸面ミラーと、を備える、
請求項６に記載のテスト装置。
【請求項８】
前記第２の凹面ミラーおよび前記第３の凸面ミラーは、
前記第１のプラットフォームと前記支持要素との間に存在する空間の外側に配置されている、
請求項７に記載のテスト装置。
【請求項９】
前記記録デバイスを前記支持要素に取り付けるための機構をさらに備える、
請求項１から８のいずれか一項に記載のテスト装置。
【請求項１０】
前記少なくとも１つのテスト用モバイルデバイスを、前記第１のプラットフォームに取り付けるための機構をさらに備える、
請求項１から９のいずれか一項に記載のテスト装置。
【請求項１１】
前記第１のプラットフォーム上に配置されたナビゲーション機器をさらに備える、
請求項１から１０のいずれか一項に記載のテスト装置。
【請求項１２】
前記支持要素に対して前記第１のプラットフォームを固定するための１つ又は複数の支持ロッドをさらに備える、
請求項１から１１のいずれか一項に記載のテスト装置。
【請求項１３】
前記テスト装置を台車に取り付けるための機構をさらに備える、
請求項１から１２のいずれか一項に記載のテスト装置。
【請求項１４】
テスト担当者が、前記テスト装置を持ち運ぶことを可能にするためのハーネスをさらに備える、
請求項１から１３のいずれか一項に記載のテスト装置。
【請求項１５】
１つ又は複数の穴が、前記第１のプラットフォームの前記支持部に近接して、前記第１のプラットフォーム上に設けられている、
請求項１から１４のいずれか一項に記載のテスト装置。
【請求項１６】
モバイルデバイス上の位置ベースアプリケーションをテストするためのテスト方法であって、
テスト装置の第１のプラットフォームの支持部上に、少なくとも１つのテスト用モバイルデバイスを配置するステップと、
記録デバイスのカメラレンズが、前記第１のプラットフォーム上の前記少なくとも１つのテスト用モバイルデバイスを見ることができるように、前記記録デバイスが前記テスト装置の支持要素によって、前記第１のプラットフォームに対して固定位置に保持されるように配置するステップと、
前記少なくとも１つのテスト用モバイルデバイス上の位置ベースアプリケーションを開始するステップと、
前記少なくとも１つのテスト用モバイルデバイス上の前記位置ベースアプリケーションのテストが記録されるように、前記記録デバイスにおける記録機能を開始するステップと、
を含むテスト方法。
【発明の詳細な説明】
【技術分野】
【０００１】
本開示は、モバイルデバイス上の位置ベースアプリケーションをテストするためのテスト装置および方法に関する。特に、しかし排他的ではないが、空港、オフィス、ショッピングセンター、イベントスタジアム、および、鉄道又は道の駅などの広い公共スペースで使用するための位置ベースアプリケーションのテストに関する。
【背景技術】
【０００２】
モバイルデバイス上の位置ベースアプリケーションは、ますます普及してきており、その結果、より洗練されたものになっている。成長しつつある開発分野の１つとして、空港、ショッピングセンター、駐車場、病院などのような広い公共スペースで使用するためのアプリケーションに関するものが挙げられる。このようなアプリケーションは、機器の位置を特定するために、全地球測位システム（ＧＰＳ）を利用することができる。しかし、ＧＰＳ技術は、屋内では確実に機能しない場合もある。そこで今日、多くのアプリケーションは、前述したような公共スペース内で、ＧＰＳ技術の代わりに、或いは、ＧＰＳ技術に追加的に、それらの場所特有のサービスを提供するためにＷｉ-Ｆｉ三角測量、又は、ブルートゥース低エネルギーのビーコンのような、他の技術を利用している。例えば、観客が着席している場所に基づいて特定のサービスが提供されるような、イベントスタジアムで使用するためのアプリケーションを提供することが望まれている。例えば、プレミアムシートに存在するユーザが、彼らの席で直接、消耗品を注文できるようにするサービスを提供することが望まれている。別の例として、航空会社のオペレータは、特定の空港をナビゲートするためのガイド、例えば、フライト間の乗り換え若しくは特定の乗客ラウンジの場所を特定するための経路、又は、一連の指示を乗客に提供することを望むこともある。
【０００３】
そのようなサービスは、フルレベルの所望の機能を提供するために、非常に正確な位置情報を必要とする。したがって、地上レベルで、このようなアプリケーションのテストを行うことは、このようなアプリケーションの適切な機能を保証するために重要である。しかしながら、アプリケーション開発者は、通常、このようなテストを自分で実施する立場にはないため、各地点において、通常、現場の担当者によるテストが必要とされる。このテストは、多くの場合、現場のテスト担当者がモバイルデバイスを持ち運び、後で、特定の問題について、テスト結果を報告するというアドホックベースで行われる。この方法は、効率が悪く、アプリケーションが見逃されたり、誤って報告がなされたりするという問題を引き起こす可能性がある。
【０００４】
したがって、モバイルデバイス上の位置ベースアプリケーションを現場でテストすることができる方法を改善することが望まれている。
【発明の概要】
【０００５】
本発明の第１の態様によれば、モバイルデバイス上の位置ベースアプリケーションをテストするためのテスト装置が提供される。このテスト装置は、少なくとも１つのテスト用モバイルデバイスを支持するための支持部を第１のプラットフォームと、第１のプラットフォームから離間し、第１のプラットフォームに対して固定位置に保持された支持要素と、を備え、支持要素は、記録デバイスを支持し、記録デバイス上のカメラレンズが第１のプラットフォームの支持部を見ることを可能とするように構成されている。
【０００６】
本発明の第１の態様に係るテスト装置は、テスト環境において、テスト担当者がモバイルデバイス上の位置ベースアプリケーションをテストしながら、同時に、モバイルデバイス上の位置ベースアプリケーションの性能を記録することを可能にする有効な手段を有利に提供する。これにより、（テスト担当者に加えて）追加の担当者がどこにいるかに関係なく、任意の数の追加の担当者がアプリケーションの性能を分析できる。その結果、アプリケーションの性能を理解する適任者は、テスト中に、記録デバイスによって取り込まれた１つ又は複数の画像又はビデオを見ることができ、アプリケーションの性能を分析することができる。これにより、テストプロセスが向上し、潜在的に、アプリケーション内の問題をより適切に識別することができる。記録デバイスによって取り込まれた画像又はビデオは、テスト中に（ライブストリームの形態などで）、直接的に、追加の担当者に送信されてもよいし、或いは、記録デバイス内のメモリに格納され、テスト後に、追加の担当者に送信されてもよい。
【０００７】
第１のプラットフォームによって支持される少なくとも１つのテスト用モバイルデバイスと、第１のプラットフォームから離間し、第１のプラットフォームに対して固定位置に保持された支持要素によって支持される記録機器と、を配置することは、テスト中に、少なくとも１つのテスト用モバイルデバイスが記録デバイスに対して動く可能性を低くすることができるため、取り込まれるビデオ又は画像の品質を向上させるのに役立つ。また、テスト中に、テスト担当者が、テスト用モバイルデバイスを直接手に持ち続ける必要がなくなるため、テスト担当者の負担を軽減することができる。
【０００８】
さらに、本発明の第１の態様に係るテスト装置は、テスト担当者が一度に複数のテスト用モバイルデバイスを同時にテストし、且つ、単一の記録デバイスを使用して、複数のテスト用モバイルデバイスの性能を同時に取り込むことも可能にする。これにより、異なる機器間の比較分析が可能になる。例えば、第１の製造業者によって供給された機器における位置ベースアプリケーションの性能と、第２の製造業者によって供給された機器における位置ベースアプリケーションの性能と、を同時に比較することができる。これは、アプリケーション開発者達が、彼らのアプリケーションが複数のプラットフォームおよび／又は複数種類の機器にわたって正しく機能しているかどうかを判断するのに役立つ。したがって、好ましい実施形態では、第１のプラットフォームは、支持要素によって支持された記録デバイスが２つ以上のテスト用モバイルデバイスを見ることを可能とするように、２つ以上のテスト用モバイルデバイスを支持するように構成される。
【０００９】
支持要素は、任意の適切な形態を取ってよい。いくつかの好ましい実施形態では、支持要素は、記録デバイスを把持し、記録デバイスを第１のプラットフォームに対して固定位置に保持するように構成されたクランプである。
【００１０】
あるいは、いくつかの他の好ましい実施形態では、支持要素は、記録デバイスを支持し、記録デバイスを第１のプラットフォームに対して固定位置に保持するように構成された第２のプラットフォームである。そのような実施形態では、好ましくは、第２のプラットフォームは、記録デバイス上のカメラレンズが第１のプラットフォームの支持部を見ることを可能とするための観察ポートを備える。観察ポートは、任意の適切な形状又は大きさを有していてよい。観察ポートは、好ましくは、第２のプラットフォームに、穴又は切り欠きの形態で設けられる。観察ポートは、好ましくは、第２のプラットフォームの中央領域に配置されている。観察ポートを備えることで、カメラレンズが、第１のプラットフォームの支持部を見易いように、記録デバイスをどこに配置すべきかを、テスト担当者は、容易に決定することができる。さらに、観察ポートは、第２のプラットフォームが不透明材料から形成されることを可能し、これは、製造の観点から望ましい。
【００１１】
観察ポートの代替として、又は観察ポートに加えて、いくつかの好ましい実施形態では、第２のプラットフォームの少なくとも一部は、実質的に透明であることが好ましい。すなわち、第２のプラットフォームは、ガラス又はプラスチックなどの実質的に透明な材料から形成されることが可能である。そのような実施形態において、テスト担当者は、第２のプラットフォームを通して、第１のプラットフォーム上のテスト用モバイルデバイスを見易くなる。これにより、テスト担当者は、テスト中に、位置ベースアプリケーションが、１つ又は複数のテスト用モバイルデバイス上で実行されていることを確実に確認できる。
【００１２】
なお、「実質的に透明」という用語は、本明細書では、少なくとも十分な割合の入射光が通過することを可能にし、それによって透視することが可能である材料を説明するために使用される。本発明では、実質的に透明な第２のプラットフォームは、その下側にある第１のプラットフォームの支持部が、第２のプラットフォームを通して見えるように十分な光を通過させることができることを意味するものとする。第２のプラットフォームにおける実質的に透明な材料の透明度は、ＡＳＴＭＤ１００３-１３に従って評価することができる。
【００１３】
支持要素が、第２のプラットフォームである場合、第２のプラットフォームの平面は第１のプラットフォームの平面と実質的に平行であることが好ましい。
【００１４】
テスト装置は、第１のプラットフォームと支持要素との間に配置され、且つ第１のプラットフォームからオフセットした角度で配向された少なくとも１つのミラーを含むミラーアセンブリをさらに備えることが好ましい。すなわち、少なくとも１つのミラーは、第１のプラットフォームの平面から、所与の角度だけオフセットした平面に沿って延びる反射面を有することが好ましい。支持要素が第２のプラットフォームである実施形態において、少なくとも１つのミラーは、第２のプラットフォームの平面から、所与の角度だけオフセットした平面に沿って延びる反射面を有することが好ましい。
【００１５】
この角度は、３０〜６０度の間であることが好ましく、約４０〜５０度の間であることがより好ましい。少なくとも１つのミラーは、第１のプラットフォームの支持部上に配置されていてもよい。このようなミラーアセンブリは、記録デバイスが存在するときに、テスト装置の前面から支持要素の方へ、特に、記録デバイスのレンズの方へ、入射光を反射させるように構成される。したがって、支持要素が観察ポートを備える第２のプラットフォームである実施形態においては、ミラーアセンブリは、テスト装置の前面からの入射光を、第２のプラットフォームの観察ポートの方へ反射させるように構成される。このことは、テスト装置が１つ又は複数のモバイルデバイス上の位置ベースアプリケーションのテストを容易にするために使用されているときに、記録デバイスが、テスト装置の前面からの視界の反射画像を取り込む際に有益である。このことは、取り込んだデータに、追加の参照情報を提供するのに役立ち、この参照情報は、位置ベースアプリケーションが問題なく機能しているかどうかを判断するときに使用できる。
【００１６】
いくつかの好ましい実施形態では、ミラーアセンブリは、第１のプラットフォームと支持要素との間に配置され、第１のプラットフォームからずれている角度で配向された第１の平面ミラーと、第１の平面ミラーと位置合わせされた第２の凹面ミラーと、第２の凹面ミラーと位置合わせされた第３の凸面ミラーと、を備える。第２の凹面ミラーおよび第３の凸面ミラーは、第１のプラットフォームと支持要素との間の空間の外側に配置されていることが好ましい。このような実施形態では、第２の凹面ミラーおよび第３の凸面ミラーは、１つ又は複数のそれぞれの支持バーなどの１つ又は複数の支持体によって、テスト装置の残りの部分に取り付けられることが好ましい。例えば、各支持体は、第１のプラットフォームにミラーを取り付けるために用いられる。第１の平面ミラーは、第１のプラットフォームの支持部の上に配置されてもよいし、第１のプラットフォームの別の部分の上に配置されてもよい。
【００１７】
ミラーアセンブリが、このような第１の平面ミラー、第２の凹面ミラー、および第３の凸面ミラーを含む場合、これらのミラーは、記録デバイスが存在するときに、テスト装置の前面から支持要素の方へ、特に、記録デバイスのレンズの方へ、入射光を反射させるための経路を、一緒に画定し得る。すなわち、記録デバイスが存在するときに、第３の凸面ミラーは、テスト装置の前面からの入射光を、第２の凹面ミラーの方へ反射させるように構成され、第２の凹面ミラーは、入射光を第１の平面ミラーの方へ反射させるように構成され、第１の平面ミラーは、入射光を支持要素の方へ、特に、記録デバイスのレンズの方へ、反射させるように構成される。
【００１８】
このようにして、モバイルデバイス上の位置ベースアプリケーションのテストを容易にするために、１つ又は複数のテスト装置が使用されているとき、記録機器は、テスト装置の前面からの視界の反射画像も取り込むことができる。第３の凸面ミラーが凸面を有するように構成されることによって、拡大視野を取得することができる。さらに、第２の凹面ミラーが凹面を有するように構成することによって、入射画像が記録デバイスのレンズに到達する前に、入射画像を反転させることができるので、第１の平面ミラーから記録デバイスによって取り込まれる画像は、テスト装置を操作するときにオペレータが有するであろう視野の向きと一致する向きとなる。これは、位置ベースアプリケーションのテストが行われているときに、記録デバイスのレンズによって記録される情報を、さらに改善するのに役立ち得る。したがって、テストプロセスの全体的な効率および有効性を、さらに改善するのに役立てることができる。
【００１９】
第２の凹面ミラーおよび第３の凸面ミラーは、第１のプラットフォームと支持要素との間に存在する空間の外側に配置されていることが好ましい。
【００２０】
テスト装置は、記録デバイスを支持要素に取り付けるための機構をさらに備えることが好ましい。例えば、取り付け機構は、記録デバイスの１つ又は複数の部分と係合する１つ又は複数のクリップによって形成されてもよい。
【００２１】
テスト装置は、少なくとも１つのテスト用モバイルデバイスを、第１のプラットフォームに取り付けるための機構をさらに備えることが好ましい。例えば、取り付け機構は、テスト用モバイルデバイスの１つ又は複数の部分と係合する１つ又は複数のクリップによって形成されてもよい。
【００２２】
テスト装置は、好ましくは、第１のプラットフォーム上に配置された、より好ましくは、第１のプラットフォームの支持部上に配置されたナビゲーション機器をさらに備える。ナビゲーション機器は、コンパスであることが好ましい。ナビゲーション機器も、記録デバイスが見ることが可能である。それゆえ、記録デバイスが第２のプラットフォーム上にあるときに、記録デバイスによって記録される任意のコンテンツ内の、テスト装置の向きの指示を提供することができる。このことは、記録されるコンテンツにとって、有用な参照情報を提供する場合がある。
【００２３】
支持要素は、第１のプラットフォームから離間され、任意の適切な手段によって、第１のプラットフォームに対して固定位置に保持され得る。テスト装置は、支持要素に対して第１のプラットフォームを、間隔を空けて、固定するための１つ又は複数の支持ロッドを備えることが好ましい。
【００２４】
１つ又は複数の支持ロッドは、テスト装置上の任意の適切な位置に配置されてよい。しかしながら、１つ又は複数の支持ロッドの各々は、テスト装置の周辺領域の周りに配置されることが好ましい。これにより、１つ又は複数のテスト用モバイルデバイスおよび記録デバイスを配置するために、テスト装置の中央領域に、空きスペースをより多く残すことができる。１つ又は複数の支持ロッドは、テスト装置を使用していないときに、支持要素が、第１のプラットフォームに近接して位置決めされることを可能にするために、例えば、伸縮式に折り畳み可能であることが好ましい。これにより、テスト装置を使用していないときに、テスト装置が必要とする保管スペースが少なくて済むので有利である。
【００２５】
支持要素がクランプである実施形態において、１つ又は複数の支持ロッドは、好ましくは、第１のプラットフォームからクランプまで延びる単一の支持ロッドを含むことが好ましい。単一のロッドは、クランプが第１のプラットフォームの上の異なる点に再配置されることを可能にするための１又は複数のジョイントを備えることができる。
【００２６】
支持要素が、第２のプラットフォームである実施形態において、第１のプラットフォームおよび第２のプラットフォームのそれぞれは、正方形又は長方形などの四辺形の一般的な形状を有し、各支持ロッドは、第１のプラットフォームにおけるそれぞれの隅に接続されることが好ましい。１つ又は複数の支持ロッドを使用して、支持要素に対して第１のプラットフォームを、間隔を空けて固定することは、記録デバイスにとって安定且つ安全な取り付けを提供しながら、テスト担当者が、第１のプラットフォームの支持部に容易にアクセスできることを可能にする。
【００２７】
テスト装置は、テスト装置を台車に取り付けるための機構を備えることが好ましい。例えば、テスト装置は、水平バーなどの、台車の一部を把持するように構成されたクランプを備えることができる。代替的に又は付加的に、テスト装置は、テスト装置がテスト担当者によって持ち運ぶことを可能にするためのハーネスを含むことが好ましい。
【００２８】
１つ又は複数の穴が、第１のプラットフォームの支持部に近接して、第１のプラットフォーム上に設けられることが好ましい。各穴は、充電ケーブルなどのケーブルを第１のプラットフォームの下からテスト用モバイルデバイスのうちの１つに通すために使用され得る。これは特に、テスト装置が台車によって支持されているとき、このケーブルを介して、モバイルデバイスに電力を供給することができる電源を収容するために台車を使用することができるので、有利である。このような配置は、テスト装置が多数のモバイルデバイスを、一度に、広いテスト領域にわたって、長期間にわたって、又はそれらの任意の組み合わせによって、テストするために使用される場合に特に望ましい場合がある。
【００２９】
本発明の第２の態様によれば、モバイルデバイス上の位置ベースアプリケーションをテストするための方法が提供される。この方法は、少なくとも１つのテスト用モバイルデバイスを、第１のプラットフォームの支持部上に配置するステップと、記録デバイスのカメラレンズが、第１のプラットフォーム上の少なくとも１つのテスト用モバイルデバイスを見ることを可能なように、記録デバイスがテスト装置の支持要素によって、第１のプラットフォームに対して固定位置に保持されるように配置されるステップと、少なくとも１つのテスト用モバイルデバイスにおいて、位置ベースアプリケーションを開始するステップと、少なくとも１つのテスト用モバイルデバイスにおいて、位置ベースアプリケーションのテストが記録されるように、記録機器における記録機能を開始するステップと、を含む。開始する各ステップは、配置する各ステップの前又は後に実行することができる。テスト装置が、ミラーアセンブリ又はナビゲーション機器などの追加の構成要素を含む場合、記録デバイスは、そのカメラレンズが１つ又は複数の前記追加の構成要素も見ることをすることができるように、テスト装置の第２のプラットフォーム上に配置されることが好ましい。
【００３０】
「記録デバイスにおける記録機能を開始する」という語句は、本明細書では、記録デバイスのレンズを介して、ビデオ又は画像コンテンツを取り込むことを指すために使用される。取り込まれたコンテンツは、適任者が後に検討するために記録デバイスに記憶されてもよい。代替的又は追加的に、取り込まれたコンテンツは、コンテンツが取り込まれているときに、それらをレビューするために適任者にストリーミングすることができる。このようなシナリオでは、テスト担当者は、適任者がコンテンツを取り込んでいるときに、適任者と通信するための通信チャネルを提供されることが好ましい。
【００３１】
このテスト方法は、支持された少なくとも１つのテスト用モバイルデバイスおよび記録デバイスを有するテスト装置をテスト現場の周囲に輸送するステップと、記録デバイスのレンズを介して、テスト現場内の２つ以上の位置で、少なくとも１つのテスト用モバイルデバイス上の位置ベースアプリケーションの性能を記録するステップと、をさらに含むことが好ましい。このテスト方法は、記録デバイスによって記録されたデータを１人又は複数の追加の人に送信するステップと、をさらに含むことが好ましい。これは、記録されたデータを最初に記録デバイス内のメモリに格納することを含み得る。
【００３２】
本発明の第１の態様に関して上述した特徴は、本発明の第２の態様に関しても同様に適用可能であることは勿論である。
【図面の簡単な説明】
【００３３】
本発明の実施形態は、一例として、添付の図面を参照して説明される。
【図１】本発明の第１の実施形態に係るテスト装置を示す斜視図である。
【図２】図１に示すテスト装置における第１のプラットフォームを示す斜視図である。
【図３Ａ】本発明の第２の実施形態に係るテスト装置を示す側面図である。
【図３Ｂ】本発明の第２の実施形態に係るテスト装置を示す側面図である。
【発明を実施するための形態】
【００３４】
図１および図２からわかるように、本発明の第１の実施形態に係るテスト装置１は、複数のテスト用モバイルデバイス１４（図１および図２ではテスト用モバイルフォンとなっている）を支持する支持部１２を有する第１のプラットフォーム１０を備える。
【００３５】
テスト装置は、また、第２のプラットフォーム２０の形態として図面に示されている支持要素を備える。第２のプラットフォーム２０は、複数の支持ロッド３０によって第１のプラットフォーム１０から間隔を空けて固定され、各支持ロッド３０は、第１のプラットフォーム１０の４隅のそれぞれの角と第２のプラットフォーム２０の４隅のそれぞれの角とを接続している。第２のプラットフォーム２０は、ガラスなどの実質的に透明な材料から形成され、第２のプラットフォーム２０における実質的に透明な材料の中央領域に、切り欠き又は穴の形態の観察ポート２２を含む。
【００３６】
タブレット端末の形態として図面に示されている記録デバイス２４は、記録デバイス２４上のレンズが観察ポート２２の上に重なる位置にて、第２のプラットフォーム２０の上に配置されている。これにより、記録デバイス２４上のレンズは、第１のプラットフォーム１０の支持部１２を見ることができ、特に、第１のプラットフォーム１０の支持部１２上に配置されたテスト用モバイルデバイス１４を見ることができる。当然のことながら、記録デバイス２４上のレンズは、第２のプラットフォーム２０の上の他の位置に配置することができ、そのために、記録デバイス２４のレンズは、第２のプラットフォーム２０の実質的に透明な材料の上に位置させ、記録デバイス２４のレンズは、第２のプラットフォーム２０の実質的に透明な材料を通して、第１のプラットフォーム１０の支持部１２を見ることが可能になる。
【００３７】
記録デバイス２４は、図１には記載されていない第２のプラットフォーム２０上の取り付け機構によって、第２のプラットフォーム２０上の固定位置に、取り付けられ保持されている。取り付け機構は、記録デバイス２４の１つ又は複数の部分と係合する１つ又は複数のクリップによって形成されている。
【００３８】
図２から最もよく分かるように、第１のプラットフォーム１０の支持部１２には、コンパスの形態として図面に示されているナビゲーション機器１６も設けられている。このナビゲーション機器１６もまた、記録デバイス２４によって見ることができ、第２のプラットフォーム２０の上に存在する記録デバイス２４によって記録される任意のコンテンツ内に、テスト装置１の向きの指示を提供することができる。支持部１２は、また、テスト担当者がテスト装置１を用いて実施しようとしているテストに関する情報を入力することができる編集可能ゾーン１７を含む。編集可能ゾーンは、例えば、紙のパッドのような１又は複数枚の紙シート、又は、ホワイトボードとすることができる。
【００３９】
第１のプラットフォーム１０は、ミラーアセンブリ４０も支持する。図１および図２に示す第１の実施形態では、ミラーアセンブリ４０は、第１のプラットフォーム１０および第２のプラットフォーム２０の平面から約４５度の角度だけオフセットした１つの平面ミラー４２のみで構成されている。ミラーアセンブリ４０は、テスト装置１の前面からの入射光を第２のプラットフォーム２０の方へ、特に、記録デバイス２４のレンズの方へ反射させることができるように、配置され、且つ、配向されている。これにより、テスト装置１が、１つ又は複数のテスト用モバイルデバイス１４上の位置ベースアプリケーションのテストを容易にするために使用されているときに、記録デバイスは、テスト装置１の前面から視界の反射画像も取り込むことができる。このことは、取り込んだデータに、追加の参照情報を提供するのに役立ち、この参照情報は、位置ベースアプリケーションが問題なく機能しているかどうかを判断するときに使用できる。
【００４０】
第１のプラットフォーム１０は、また、第１のプラットフォーム１０の支持部１２に近接した２つの穴１８を含む。それぞれの穴１８は、充電ケーブルのようなケーブルを、第１のプラットフォーム１０の下側から、テスト用モバイルデバイス１４の１つに通すために、使用することができる。これは、特に、テスト装置１が台車によって支持されている場合、前記ケーブルを介してテスト用モバイルデバイス１４に電力を供給することができる電源を収容するために台車を使用できるため有利である。このような配置は、テスト装置１が、多数のデバイスを、一度に、広いテスト領域にわたって、長期間にわたって、又はそれらの任意の組み合わせで、テストするために使用される場合に特に望ましい場合がある。
【００４１】
図１又は図２には示されていないが、各テスト用モバイルデバイス１４は、第１のプラットフォーム１０上の取り付け機構によって、第１のプラットフォーム１０上の固定位置に取り付けられて保持されることが可能である。取り付け機構は、テスト用モバイルデバイス１４の１つ又は複数の部分と係合する１つ又は複数のクリップによって形成され得る。
【００４２】
図３Ａおよび図３Ｂは、本発明の第２の実施形態係るテスト装置１の側面図を示す。図３Ａは、記録デバイス２４のレンズの視野範囲５０を示しているテスト装置１の側面図である。
【００４３】
図３Ａおよび図３Ｂのテスト装置は、図１のテスト装置と似ているが、代替のミラーアセンブリ４０を有する。特に、図１に示すミラーアセンブリと同様に、図３Ａおよび図３Ｂに示すミラーアセンブリ４０もまた、第１の平面ミラー４２を備える。第１の平面ミラー４２は、第１のプラットフォーム１０と第２のプラットフォーム２０との間に配置され、第１のプラットフォーム１０および第２のプラットフォーム２０の平面からオフセットされた角度で配向されている。しかしながら、図３Ａおよび図３Ｂに示すミラーアセンブリ４０は、第１の平面ミラー４２と位置合わせされた第２の凹面ミラー４４および第２の凹面ミラー４４と位置合わせされた第３の凸面ミラー４６を備えている。
【００４４】
第２の凹面ミラー４４および第３の凸面ミラー４６は、第１のプラットフォーム１０と第２のプラットフォーム２０との間に存在する空間の外側に配置され、支持体４８によってテスト装置に固定されている。図３Ｂから最もよく分かるように、ミラーアセンブリ４０が備える第１の平面ミラー４２、第２の凹面ミラー４４および第３の凸面ミラー４６は、一緒になって、テスト装置１の前面からの入射光を、第２のプラットフォーム２０の方へ、特に、記録デバイス２４のレンズの方へ反射させるための経路６０を画定する。すなわち、テスト装置１の前面からの入射光は、第３の凸面ミラー４６によって第２の凹面ミラー４４に向けて反射される。次に、第２の凹面ミラー４４は、入射光を第１の平面ミラー４２に向けて反射させ、次に、第１の平面ミラー４２は、前記入射光を記録デバイス２４のレンズの方へ反射させる。このようにして、テスト装置１が、位置ベースアプリケーションのテストを容易にするために、使用されているとき、記録デバイス２４はテスト装置１の前面からの視野の反射画像を取り込むこともできる。第３の凸面ミラー４６を凸面にするように構成することによって、拡大視野を取得することができる。さらに、第２の凹面ミラー４４を凹面にするように構成することによって、入射画像が、記録デバイス２４のレンズに達する前に、当該入射画像を反転させることができる。その結果、第１の平面ミラー４２から、記録デバイス２４によって取り込まれる画像は、テスト装置１を操作するときに、オペレータが有するであろう視野の向きと一致することになる。
【００４５】
図１〜図３Ｂに示される何れかのテスト装置１を使用するために、テスト担当者は少なくとも１つのテスト用モバイルデバイス１４を、テスト装置１の第１のプラットフォーム１０の支持部１２に、記録デバイス２４を第２のプラットフォーム２０上に配置する。記録デバイス２４は、そのレンズが観察ポート２２の上に重なるように配置され、これにより、レンズは、下に存在する第１のプラットフォーム１０における少なくとも支持部１２を、見ることが可能になる。テスト用モバイルデバイス１４を配置する前または配置した後に、少なくとも１つのテスト用モバイルデバイス１４上の位置ベースアプリケーションを開始し、そして、記録デバイスが、第１のプラットフォーム上のテスト用モバイルデバイス１４の視野を記録することができるように、記録デバイス２４上で記録機能を開始する。さらに、図１〜図３Ｂの実施形態では、記録デバイス２４は、また、第１の平面ミラー４２、ナビゲーション機器１６、および編集可能ゾーン１７の視野も記録する。
【００４６】
次に、テスト担当者は、空港のようなテスト現場近くに、テスト用モバイルデバイス１４、記録デバイス２４と一緒に、テスト装置１を運搬し、テスト現場の様々な異なる位置でテスト用モバイルデバイス１４上の位置ベースアプリケーションの性能を記録する。次に、ビデオ又は画像のような記録されたデータは、分析のために、記録デバイス２４から、別の担当者又は複数の担当者に送られる。記録されたデータは、テスト中に（ライブストリームの形態などで）直接、追加の担当者に送信されてもよく、又は記録デバイス内のメモリに格納され、後でテスト後に追加の担当者に送信されてもよい。
【００４７】
上記の説明は、空港で使用するための位置ベースアプリケーションのテストに関するものであるが、本発明のテスト方法およびテスト装置は空港に限定されず、ショッピングセンター、オフィス、イベントスタジアム、鉄道又は道の駅などの他の公共スペースにも適用できることは言うまでもない。上述の実施形態は代表的な例として説明したが、本開示の趣旨及び範囲内で、多くの変更及び置換ができることは当業者に明らかである。
【図１】
2020516106.tif 000003
【図２】
2020516106.tif 000004
【図３Ａ】
2020516106.tif 000005
【図３Ｂ】
2020516106.tif 000006
【国際調査報告】
2020516106.tif 000007
2020516106.tif 000008